(57)【要約】  【課題】  吐水口を含む吐水部が水栓本体部の上端から概ね水平方向に延びるように形成された湯水混合水栓装置において、使用者が操作レバーの操作に関わらず温度表示を容易に視認できる湯水混合水栓装置を提供する。  【解決手段】  湯と水の混合比及び吐水量を変化させる操作ロッドを備えた湯水混合バルブユニットと、湯水混合バルブユニットを受け入れるバルブユニット収納凹部が上端に形成された水栓本体部と、水栓本体部の上端から概ね水平方向に延び吐水口を有する吐水部と、操作ロッドと結合された操作レバーからなる湯水混合水栓装置において、操作レバーは、バルブユニット収納凹部の上端の開口を覆うスカート部と、バルブユニット収納凹部の上端の開口に取付けられるカバー部材を有し、カバー部材には、温度表示が施されたインデックス部と、水栓本体部に対する回転位置を位置決め固定するカバー部材固定手段が形成されている。  【選択図】  図１
2008240486.tif 000002
【特許請求の範囲】
【請求項１】
単一の操作レバーにより、供給された湯及び水の混合比を変化させ、吐水流量を調整する湯水混合水栓装置であって、
鉛直方向に向けられた第１軸線を中心に回動させることにより湯及び水の混合比を変化させ、水平方向に向けられた第２軸線を中心に回動させることにより混合された湯及び水の吐水流量を変化させることができる操作ロッドを備えた湯水混合バルブユニットと、
この湯水混合バルブユニットを受け入れるバルブユニット収納凹部が上端に形成され、湯及び水を上記湯水混合バルブユニットに夫々導く給水路を内蔵した水栓本体部と、
この水栓本体部の上端から概ね水平方向に延び、混合された湯及び水が吐水される吐水口が形成された吐水部と、
上記操作ロッドと結合される取付部、及びこの取付部から延び、使用者によって把持される把持部を備え、上記操作ロッドと共に回動される操作レバーと、からなる湯水混合水栓装置において、
上記操作レバーは、上記取付部の周囲に形成され、且つ上記バルブユニット収納凹部の上端の開口を覆うスカート部を有し、
さらに、上記バルブユニット収納凹部の上端の開口に取付けられる温度表示のための円環状のカバー部材を有し、
上記カバー部材には、表面に温度表示が施され上記スカート部の外周部を覆うインデックス部と、
上記水栓本体部に対する温度表示を位置決め固定するカバー部材固定手段と、が形成されていることを特徴とする湯水混合水栓装置。
【請求項２】
上記カバー部材固定手段は、上記カバー部材又は上記水栓本体部の一方に設けられた突起と、他方に設けられた凹部とによって構成されていることを特徴とする請求項１記載の湯水混合水栓装置。
【請求項３】
上記カバー部材固定手段は、上記インデックス部において上記スカート部と干渉しない外周位置を貫通して上記水栓本体に螺合される固定ねじによって構成されていることを特徴とする請求項１記載の湯水混合水栓装置。
【請求項４】
上記カバー部材固定手段は、上記カバー部材と上記水栓本体との間に介在し、上記水栓本体に対して回転位置が位置決めされた位置決め部材と、この位置決め部材又は上記カバー部材の一方に設けられた突起と、他方に設けられた凹部とによって構成されていることを特徴とする請求項１記載の湯水混合水栓装置。
【発明の詳細な説明】
【技術分野】
【０００１】
本発明は、単一の操作レバーにより、供給された湯及び水の混合比を変化させ、吐水流量を調整する湯水混合水栓装置に係り、特に湯、水の温度表示に関する。
【背景技術】
【０００２】
従来の単一の操作レバーにより、供給された湯及び水の混合比を変化させ、吐水流量を調整する湯水混合水栓装置の温度表示方法として、操作レバーの上面で湯側に赤色、水側に青色の表示を設けたものがある。（例えば、特許文献１参照。）
また、操作レバーを回動操作しても吐水温度の表示をわかりやすくする温度表示の方法として、環状の表示リングを別体で設け、水栓本体の上部且つ操作レバーの直下に固定したものがある。（例えば、特許文献２参照。）
【０００３】
しかし、特許文献１のような温度表示の方法では、使用者が吐水するために操作レバーを上方へ回動させた後、吐水の温度を変えようとしても操作レバーの上面は、使用者から見て後方に位置するため、湯、水の温度表示が見えづらくなってしまうという問題があった。
特許文献２のように表示リングを水栓本体の上部と操作レバーの直下に設ける方法では、目線の低い使用者にはわかりやすくなる。また、操作レバーを上方に回動した場合でも温度表示を容易に確認することができる、といった利点がある。
しかし、近年、洗面所の空間を設計する際、湯水混合水栓装置のコンパクト化を要望する声が高まり、吐水口を含む吐水部が水栓本体部の上端から概ね水平方向に延びるように形成された湯水混合水栓装置が脚光を浴びてきている。上記のような湯水混合水栓装置に特許文献２のような表示リングを水栓本体部で吐水部より下方に設けると、吐水部によって使用者は表示リングを確認しづらくなる問題が生じる。また、表示リングを水栓本体部で吐水部の上方に設けると、水栓本体部が上方へかさばり、本来の目的である湯水混合水栓装置のコンパクト化ができなくなる。
【０００４】
【特許文献１】特開２００２−３５６８８２号公報（第３頁、第１図）
【特許文献２】特開２００１−２６２６４４号公報（第７頁、第１図）
【発明の開示】
【発明が解決しようとする課題】
【０００５】
本発明は、上記問題を解決するためになされたもので、本発明の課題は、湯水混合水栓装置のコンパクト化を図るとともに、温度表示を容易に視認できる湯水混合水栓装置を提供することである。
【課題を解決するための手段】
【０００６】
上記目的を達成するために請求項１記載の発明によれば、単一の操作レバーにより、供給された湯及び水の混合比を変化させ、吐水流量を調整する湯水混合水栓装置であって、鉛直方向に向けられた第１軸線を中心に回動させることにより湯及び水の混合比を変化させ、水平方向に向けられた第２軸線を中心に回動させることにより混合された湯及び水の吐水流量を変化させることができる操作ロッドを備えた湯水混合バルブユニットと、この湯水混合バルブユニットを受け入れるバルブユニット収納凹部が上端に形成され、湯及び水を上記湯水混合バルブユニットに夫々導く給水路を内蔵した水栓本体部と、この水栓本体部の上端から概ね水平方向に延び、混合された湯及び水が吐水される吐水口が形成された吐水部と、上記操作ロッドと結合される取付部、及びこの取付部から延び、使用者によって把持される把持部を備え、上記操作ロッドと共に回動される操作レバーと、からなる湯水混合水栓装置において、上記操作レバーは、上記取付部の周囲に形成され、且つ上記バルブユニット収納凹部の上端の開口を覆うスカート部を有し、さらに、上記バルブユニット収納凹部の上端の開口に取付けられる温度表示のための円環状のカバー部材を有し、上記カバー部材には、表面に温度表示が施され上記スカート部の外周部を覆うインデックス部と、上記水栓本体部に対する回転位置を位置決め固定するカバー部材固定手段とが形成することを特徴とする。
これにより、温度表示が、吐水部や操作レバーの位置による影響を受けずに容易に確認できるとともに、操作レバーの回動に伴って温度表示も回転し、位置ずれが生じることを防止することができる。
【０００７】
また、請求項２記載の発明によれば、上記カバー部材固定手段は、上記カバー部材又は上記水栓本体部の一方に設けられた突起と、他方に設けられた凹部とによって構成されていることを特徴とする。
これにより、少ない部品数で容易に加工することができる。
【０００８】
また、請求項３記載の発明によれば、上記カバー部材固定手段は、上記インデックス部において上記スカート部と干渉しない外周位置を貫通して上記水栓本体に螺合される固定ねじによって構成されていることを特徴とする。
これにより、固定をより強固なものとすることができる。
【０００９】
また、請求項４記載の発明によれば、上記カバー部材固定手段は、上記カバー部材と上記水栓本体との間に介在し、上記水栓本体に対して回転位置が位置決めされた位置決め部材と、この位置決め部材又は上記カバー部材の一方に設けられた突起と、他方に設けられた凹部とによって構成されていることを特徴とする。
これにより、位置決め部材を位置決めするための水栓本体の加工をクロス加工で構成できるようになるので、水栓本体部をよりコンパクトに構成することができる。
【発明の効果】
【００１０】
本発明によれば、吐水口を含む吐水部が水栓本体部の上端から概ね水平方向に延びるように形成された湯水混合水栓装置において、湯水混合水栓装置のコンパクト化を図るとともに、温度表示を容易に視認できる湯水混合水栓装置を提供することである。
【発明を実施するための最良の形態】
【００１１】
次に、添付図面を参照して、本発明の実施形態による湯水混合水栓装置を説明する。
図１は本発明の第１実施形態による湯水混合水栓装置全体を一部破断して示す斜視図である。また、図２は第１実施形態による湯水混合水栓装置の分解斜視断面図である。また、図３は図２におけるｖ面に沿う部分断面図である。
【００１２】
図１、図２に示すように、第１実施形態による湯水混合水栓装置１０１は、主として、使用者が所望の湯温、流量を操作する操作レバー１０３と、操作レバー１０３の動きにより、湯と水を適宜混合し、吐水流量を調節するための湯水混合バルブユニット１０４と、湯水混合バルブユニット１０４を受入れる水栓本体部１０２と、湯水混合バルブユニット１０４を固定するための環状のバルブ押え部材１０５と、表面に温度表示が施されたインデックス部１０６を有するカバー部材１１０と、吐水口部１０７と、湯水混合バルブユニット１０４で混合された湯を吐水口部１０７へ導く吐水部１１２と、で構成されている。
【００１３】
また、水栓本体部１０２の背面側には、湯水混合水栓装置１０１が設置される洗面台のボウル（図示せず）の排水栓（図示せず）を開閉操作するための排水栓レバー１０９が設けられており、この排水栓レバー１０９により、排水栓の開閉機構１０９ａを操作するようになっている。
さらに、水栓本体部１０２の下端には、湯を供給する湯用給水管１１６及び水用給水管１１７が接続されている。水栓本体部１０２内に形成された２本の給水路１０２ｂ（湯用のみ図示）によって湯水混合バルブユニット１０４に導かれるように構成されている。
【００１４】
次に、図２、図３を参照して、各部品の構成を詳細に説明する。
水栓本体部１０２は、概ね四角柱状の形状を有し、ほぼ鉛直方向に延びるように設置される。また、水栓本体部１０２の上端には、湯水混合バルブユニット１０４を収納するためのバルブユニット収納凹部１０２ａが設けられている。
【００１５】
吐水部１１２は、長方形断面の管状の形状を有し、水栓本体部１０２の上端からほぼ水平方向に延びるように、水栓本体部１０２と一体に形成されている。吐水部１１２内の吐水部通水路１１３は、水栓本体部１０２のバルブユニット収納凹部１０２ａと連通するように構成され、湯水混合バルブユニット１０４内で混合された湯水は、その側面に設けられたバルブ流出口１１４から流出し、湯水混合バルブユニット１０４とバルブユニット収納凹部１０２ａの間に流入する。また、吐水部１１２の上面は、水栓本体部１０２の上端面と面一に、即ち、吐水部１１２の上面と水栓本体部１０２の上端面が同一の平面を構成するように構成されている。さらに、吐水部１１２の先端部の下面には、吐水口１０７が形成されており、吐水部１１２内部の吐水部通水路１１３を通って導かれた湯水が吐水されるように構成されている。吐水口部１０７には、整流用のキャップ１０７ａが取付けられている。
【００１６】
一方、バルブ押え部材１０５は、直径の小さいの円環状の上側環部１０５ａと、直径の大きい円環状の下側環部１０５ｂから構成されている。下側環部１０５ｂの下側外周には雄ねじ１０５ｃが形成されており、バルブユニット収納凹部１０２ａの内壁面に形成された雌ねじ１０２ｃと螺合させることにより、バルブ押え部材１０５が湯水混合バルブユニット１０４の肩部１０４ａを下方に押圧し、湯水混合バルブユニット１０４が水栓本体部１０２に固定される。湯水混合バルブユニット１０４が固定された状態では、湯水混合バルブユニット１０４の上部が、バルブ押え部材１０５の上側環部１０５ａに受入れられ、湯水混合バルブユニット１０４の操作ロッド１０４ｂが上側環部１０５ａから上方に突出する。また、下側環部１０５ｂの上部外周には、Ｏリング１０５ｄが取付けられており、バルブユニット収納凹部１０２ａの水密性を確保している。
【００１７】
操作レバー１０３は、使用者によって把持されるプレート状の把持部１０３ａと、湯水混合バルブユニット１０４の操作ロッド１０４ｂに取付けられる取付部１０３ｂと、この取付部１０３ｂの周囲に形成された半球状のスカート部１０３ｃと、を有する。さらにスカート部１０３ｃは、バルブユニット収納凹部１０２ａの開口部を覆って外観を良くする機能を兼ね備えている。
【００１８】
また、取付部１０３ｂには、操作ロッド１０４ｂを受入れる四角柱状の凹部１０３ｄが形成されている。この凹部１０３ｄの内壁の一組の対向面は、第１対向面１０３ｅと第２対向面１０３ｆから構成されている。第１対向面１０３ｅには、操作ロッド１０４ｂに設けられた雌ねじ１０４ｃに螺合された固定用ねじである芋ねじ１１５を締める工具を通すための小孔である取付部孔１０３ｇが形成されている。さらに、スカート部１０３ｃの正面側には取付部孔１０３ｇと整合した小孔であるスカート部孔１０３ｈが形成されており、芋ねじ１１５を締める工具を外部から挿入することを可能としている。
【００１９】
カバー部材１１０は、直径の大きい円環状の上側環部１１０ａと、直径の小さい円環状の下側環部１１０ｂと、下側環部１１０ｂの外周上の一部に設けられた概ね半円柱形状の突起１１０ｃから構成されている。一方バルブユニット収納凹部１０２ａの内壁面には概半円柱形状の位置決め凹部１０２ｄが構成され、カバー部材の回転位置防止手段として機能する。また、カバー部材１１０の上側環部１１０ａの外周には、Ｏリング１１０ｄが取付けられており、バルブユニット収納凹部１０２ａの位置決め凹部１０２ｄの上方に設けられた係合溝１０２ｅに嵌合される。さらに、カバー部材１１０の上部表面には温度表示を示す（高温を示す「Ｈ」、低温を示す「Ｃ」等のマーク）インデックス部１０６が付され、操作レバー１０３のスカート部１０３ｃを覆うように構成されている。
【００２０】
第１実施形態の湯水混合水栓装置１０１は、操作レバー１０３を左右方向に回動させることにより、即ち、第１軸線である鉛直軸線を中心に操作レバー１０３を回動させることにより、湯用給水管１１６及び水用給水管１１７から夫々供給された湯と水の混合比を変化させるように構成されている。また、湯水混合水栓装置１０１は、操作レバー１０３を上下方向に回動させることにより、即ち、第２軸線である水平軸線を中心に操作レバー１０３を回動させることにより、湯と水が混合された湯水の吐水流量を調節し、吐水部１１２の吐水口部１０７から吐水させるように構成されている。
【００２１】
次に、図２、図３を参照して、カバー部材１１０のバルブユニット収納凹部１０２ａへの取付構造を説明する。
【００２２】
カバー部材１１０は、上面が平坦に形成されたリング形状の部材である。カバー部材１１０は、バルブユニット収納凹部１０２ａの上端に嵌め込まれるように構成され、操作レバー１０３のスカート部１０３ｃの周囲に配置される。カバー部材１１０の下側環部１１０ｂの外周上に設けられた突起１１０ｃが、バルブユニット収納凹部１０２ａの内壁面に形成された位置決め凹部１０２ｄに受け入れられるように嵌め込むことにより、カバー部材１１０の回転位置が位置決めされる。これにより、カバー部材１１０の回転位置が水栓本体部１０２に対して位置決めされるので、カバー部材１１０に付されたインデックス部１０６を容易に位置決めすることができ、インデックス部１０６の温度表示が吐水部１１２や操作レバー１０３の位置による影響を受けずに容易に確認できるとともに、操作レバー１０３の回動に伴ってインデックス部１０６の温度表示も回転することを防止することができる。
【００２３】
さらにカバー部材１１０の上側環部１１０ａの外周には、Ｏリング１１０ｄが嵌め込まれており、バルブユニット収納凹部１０２ａの位置決め凹部１０２ｄの上方に設けられた係合溝１０２ｅに嵌合するように取付けることにより、カバー部材１１０はバルブユニット収納凹部１０２ａから容易に外れないように嵌め込まれる。
【００２４】
次に、図４を参照して、第１実施形態における変形例について説明する。
図４は本発明の第１実施形態の変形例による湯水混合水栓装置の部分断面図である。
【００２５】
第１実施形態ではカバー部材１１０の横方向に位置決めを設けているのに対し、本変形例では、カバー部材２１０の縦方向に位置決めを設けている。カバー部材２１０の下面にピン２１０ｅを設け、カバー部材２１０がバルブユニット収納凹部２０２ａに嵌め込まれたときにカバー部材２１０の下面に対向する面２０２ｆには穴２０２ｇが設けている。バルブユニット収納凹部２０２ａに形成された穴２０２ｇに受け入れられることにより、カバー部材２１０の回転位置が位置決めされる。
【００２６】
次に、図５を参照して本発明の別の実施形態について説明する。
図５は本発明の第２実施形態による湯水混合水栓装置の分解斜視図である。
【００２７】
図５を参照して、各部品の構成を詳細に説明する。
湯水混合バルブユニット１０４、バルブ押え部材１０５、操作レバー１０３は第１実施形態と同様の構成となっている。
【００２８】
カバー部材３１０は、円環状の形状を成しており、上面２箇所に円柱状の切欠き部３１０ａと、その同軸に設けられた孔３１０ｂから構成されている。また、カバー部材３１０がバルブユニット収納凹部３０２ａに嵌め込まれたときにカバー部材３１０の下面に対向する面３０２ｆには雌ねじ３０２ｈが設けられている。さらに、カバー部材３１０の孔３１０ｂに貫通され、操作レバー１０３のスカート部１０３ｃに干渉しない外周位置に固定ねじ３１６が構成され、カバー部材３１０の切欠き部３１０ａには温度表示を示す（高温を示す「Ｈ」、低温を示す「Ｃ」等のマークが施された）インデックス部材３１７が上面から嵌め込まれる。
【００２９】
次にカバー部材３１０のバルブユニット収納凹部３０２ａへの取付構造を説明する。
カバー部材３１０は、上面が平坦に形成されたリング形状の部材であり、バルブユニット収納凹部３０２ａの上端に嵌め込まれるように構成され、操作レバー１０３のスカート部１０３ｃの周囲に配置される。また、カバー部材３１０は、バルブユニット収納凹部３０２ａの雌ねじ３０２ｈに螺合され、カバー部材の孔３１０ｂに貫通するように構成された固定ねじ３１６で固定されることにより、カバー部材３１０の回転位置が位置決めされる。また、カバー部材３１０の上面から切欠き部３１０ａにインデックス部材３１７が嵌め込まれる。インデックス部材３１７においては、軟質の部材で構成されており、切欠き部３１０ａに圧入するように取付けられる。これにより、カバー部材３１０の回転位置が水栓本体部３０２に対して位置決めされているので、カバー部材３１０の上面から嵌め込まれたインデックス部材３１７を容易に位置決めすることができ、インデックス部３１７の温度表示が吐水部３１２や操作レバー１０３の位置による影響を受けずに容易に確認できるとともに、操作レバー１０３の回動に伴ってインデックス部材３１７の温度表示も回転することを防止することができる。
【００３０】
次に、図６を参照して本発明の別の実施形態について説明する。
図６は本発明の第３実施形態による湯水混合水栓装置の分解斜視図である。
【００３１】
図６を参照して、各部品の構成を詳細に説明する。
湯水混合バルブユニット１０４、バルブ押え部材１０５、操作レバー１０３は第１実施形態と同様の構成となっている。
【００３２】
位置決め部材４１８は、円環状の部材であり、バルブ押え部材１０５の上側環部１０５ａを取り囲むように、下側環部１０５ｂの上に配置される。また、位置決め部材４１８の外周には、上方に向けて延びる方持ち梁状の位置決め舌部４１８ａが形成されている。また、位置決め舌部４１８ａの外周面には、突起４１８ｂが形成されている。この突起４１８ｂがバルブユニット収納凹部４０２ａの内壁面に形成された位置決め凹部４０２ｄに受入れられることにより、位置決め部材４１８の回転位置が位置決めされる。また、位置決め部材４１８の上方に溝４１８ｃが設けられており、カバー部材４１０の位置決め固定手段として機能する。
【００３３】
カバー部材４１０は直径の大きい円環状の上側環部４１０ａと、直径の小さい下側環部４１０ｂと、下側環部４１０ｂの外周上の一部に設けられた突起４１０ｃが構成されている。下側環部４１０ｂの外径は位置決め部材４１８より直径が小さく構成されており、突起４１０ｃが位置決め部材４１８の外周部に設けられた溝４１８ｃに嵌まり込むように構成される。また、カバー部材４１０の上側環部４１０ａの外周には、Ｏリング４１０ｄが取付けられており、バルブユニット収納凹部４０２ａの位置決め凹部４０２ｄの上方に設けられた係合溝４０２ｅに嵌合される。さらに、カバー部材４１０の上部表面には温度表示を示す（高温を示す「Ｈ」、低温を示す「Ｃ」等のマーク）インデックス部４０６が付され、操作レバー１０３のスカート部１０３ｃを覆うように構成されている。
【００３４】
次にカバー部材４１０のバルブユニット収納凹部４０２ａへの取付構造を説明する。
カバー部材４１０は、上面が平坦に形成されたリング状の部材であり、バルブユニット収納凹部４０２ａの上端に嵌め込まれるように構成され、位置決め部材４１８の内周に、かつ、操作レバー１０３のスカート部１０３ｃの周囲に配置される。カバー部材４１８の外周上に設けられた突起４１０ｃが位置決め部材４１８の溝４１８ｃに嵌まり込むことにより、カバー部材４１８の回転位置が位置決めされる。このように、カバー部材４１０は位置決め部材４１８に対して位置決めされ、また、位置決め部材４１８は水栓本体部４０２に対して位置決めされているので、結局、カバー部材４１０の回転位置は、水栓本体部４０２に対して位置決めされる。これにより、カバー部材４１０の回転位置が水栓本体部４０２に対して位置決めされるので、カバー部材４１０に付されたインデックス部４０６を容易に位置決めすることができ、インデックス部４０６の温度表示が吐水部４１２や操作レバー１０３の位置による影響を受けずに容易に確認できるとともに、操作レバー１０３の回動に伴ってインデックス部４０６の温度表示も回転することを防止することができる。
【００３５】
さらに第１実施形態と同様に、カバー部材４１０の上側環部４１０ａの外周には、Ｏリング４１０ｄが嵌め込まれており、バルブユニット収納凹部４０２ａの位置決め凹部４０２ｄの上方に設けられた係合溝４０２ｅに嵌合するように取付けることにより、カバー部材４１０はバルブユニット収納凹部４０２ａから容易に外れないように嵌め込まれる。
【００３６】
次に、図７乃至図８を参照して第３実施形態の変形例について説明する。
図７は本発明の第３実施形態の変形例を示した湯水混合水栓装置の分解斜視図である。
図８は本発明の第３実施形態の変更例における位置決め部材を裏面から見た斜視図である。
【００３７】
第４実施形態の位置決め部材４１８は、上方に溝４１８ｃが設けられているのに対し、第５実施形態では位置決め部材５１８の内周に、下方に向けて方持ち梁状の位置決め舌部５１８ｄが形成されている。また、位置決め舌部５１８ｄの内周面には、突起５１８ｅが形成されている。そのほかの構成については第４実施形態と同じであり、位置決め部材５１８の回転位置の位置決め方法についても第４実施形態と同じである。また、位置決め部材５１８の内周上の突起５１８ｅが、カバー部材５１０の位置決め固定手段として機能する。
【００３８】
カバー部材５１０は、第４実施形態が下側環部４１０ｂの外周上の一部に突起４１０ｃが設けられているのに対し、第５実施形態では下部外周上の１箇所に、切欠き部５１０ｃが形成されている。そのほかの構成については第４実施形態と同じである。
【００３９】
カバー部材５１０の下部外周上の１箇所に形成された切欠き部５１０ｃが、位置決め部材５１８の内周上に設けられた突起５１８ｅを受け入れるように、カバー部材５１０をバルブユニット収納凹部４０２ａに嵌め込むことにより、カバー部材５１０の回転位置が位置決めされる。また、カバー部材５１０をバルブユニット収納凹部４０２ａに嵌め込む際に、カバー部材５１０の切欠き部５１０ｃが、位置決め部材５１８の内周上の設けられた突起５１８ｅに受入れられないよう回転して嵌め込まれたときも、位置決め部材５１８の位置決め舌部５１８ｄがたわむことにより嵌め込まれる。そのあとにカバー部材５１０を回転させ、カバー部材５１０の切欠き部５１０ｃが、位置決め部材５１８の内周上に設けられた突起５１８ｅに受入れられたとき、たわみが戻り位置決め部材５１８の突起５１８ｅの側面によりカバー部材５１０がそれ以上回転しなくなる。これにより、カバー部材５１０の回転位置が水栓本体部４０２に対して位置決めされるので、カバー部材５１０に付されたインデックス部５０６を容易に位置決めすることができ、インデックス部５０６の温度表示が吐水部４１２や操作レバー１０３の位置による影響を受けずに容易に確認できるとともに、操作レバー１０３の回動に伴って温度表示も回転することを防止することができる。
【図面の簡単な説明】
【００４０】
【図１】本発明の第１実施形態による湯水混合水栓装置全体を一部破断して示す斜視図である。
【図２】本発明の第１実施形態による湯水混合水栓装置の分解斜視断面図である。
【図３】図２におけるｖ−ｖ線に沿う部分断面図である。
【図４】本発明の第１実施形態の変形例による湯水混合水栓装置の部分断面図である。
【図５】本発明の第２実施形態による湯水混合水栓装置の分解斜視図である。
【図６】本発明の第３実施形態による湯水混合水栓装置の分解斜視図である。
【図７】本発明の第３実施形態の変形例を示した湯水混合水栓装置の分解斜視図である。
【図８】本発明の第３実施形態の変更例における位置決め部材を裏面から見た斜視図である。
【符号の説明】
【００４１】
１０１…湯水混合水栓装置
１０２、２０２、３０２、４０２…水栓本体部
１０２ａ、２０２ａ、３０２ａ、４０２ａ…バルブユニット収納凹部
１０２ｂ…給水路
１０２ｄ…位置決め凹部
１０３…操作レバー
１０３ｃ…スカート部
１０４…湯水混合バルブユニット
１０４ｂ…操作ロッド
１０５…バルブ押え部材
１０６、２０６、４０６、５０６…インデックス部
１０７…吐水口部
１０７ａ…キャップ
１１０、２１０、３１０、４１０、５１０…カバー部材
１１０ｃ…突起
１１２、３１２、４１２、５１２…吐水部
１１３…吐水部通水路
１１６…湯用給水管
１１７…水用給水管
３１６…固定ねじ
３１７…インデックス部材
４０２ｄ…位置決め凹部
４１０ｃ…突起
４１８、５１８…位置決め部材
４１８ｂ…突起
５１０ｃ…切欠き部
５１８ｂ…突起
５１８ｅ…突起
【図１】
2008240486.tif 000003
【図２】
2008240486.tif 000004
【図３】
2008240486.tif 000005
【図４】
2008240486.tif 000006
【図５】
2008240486.tif 000007
【図６】
2008240486.tif 000008
【図７】
2008240486.tif 000009
【図８】
2008240486.tif 000010